(57)【要約】【課題】着信側の状況、及び発信側の重要度判断に基づいてマナーモード機能を制御する。【解決手段】通信装置は、着信に対して着信音を鳴動させないマナーモード機能４３を備える。判別部４０は、特定の電話番号からの着信が所定のマナーモード解除条件を満足するか否かを判別する。ショートメッセージ送信部４１は、判別部４０により特定の電話番号からの着信が所定のマナーモード解除条件を満足したと判別された場合に、特定の電話番号の発信側にショートメッセージを送信する。マナーモード機能解除部４２は、ショートメッセージ送信部４１から送信されたショートメッセージに対して、特定の電話番号の発信側から返信のショートメッセージがあった場合に、マナーモード機能４３を解除する。【選択図】図９
2013162509.tif 000002
【特許請求の範囲】
【請求項１】
着信に対して着信音を鳴動させないマナーモード機能を備える通信装置であって、
特定の電話番号からの着信が所定のマナーモード解除条件を満足するか否かを判別する判別部と、
前記判別部により前記特定の電話番号からの着信が前記所定のマナーモード解除条件を満足したと判別された場合に、前記特定の電話番号の発信側にショートメッセージを送信するショートメッセージ送信部と、
前記ショートメッセージ送信部から送信された前記ショートメッセージに対する、前記特定の電話番号の発信側からの返信ショートメッセージを受信した場合に、前記マナーモード機能を解除するマナーモード機能解除部と
を備えることを特徴とする通信装置。
【請求項２】
前記マナーモード機能解除部は、
前記マナーモード機能を、所定のマナーモード解除期間に渡って解除する、
ことを特徴とする請求項１に記載の通信装置。
【請求項３】
前記判別部は、
前記特定の電話番号から、所定の期間内に所定回数の着信があったことを前記所定のマナーモード解除条件とする、
ことを特徴とする請求項１または２に記載の通信装置。
【請求項４】
前記所定の期間と前記所定回数とを設定する設定部を更に備えることを特徴とする請求項３に記載の通信装置。
【請求項５】
前記設定部は、
前記所定のマナーモード解除期間を更に設定する、
ことを特徴とする請求項４に記載の通信装置。
【請求項６】
前記設定部は、
前記特定の電話番号を更に設定する
ことを特徴とする請求項４または５に記載の通信装置。
【請求項７】
前記マナーモード機能解除部は、
前記マナーモード機能を解除して着信音を鳴動させる
ことを特徴とする請求項１から６のいずれか一項に記載の通信装置。
【請求項８】
着信に対して着信音を鳴動させないマナーモード機能を備える通信装置でのマナーモード制御方法であって、
特定の電話番号からの着信がマナーモード解除条件を満足するか否かを判別するステップと、
前記特定の電話番号からの着信が前記マナーモード解除条件を満足したと判別された場合に、前記特定の電話番号の発信側にショートメッセージを送信するステップと、
前記送信されたショートメッセージに対する、前記特定の電話番号の発信側からの返信ショートメッセージを受信した場合に、前記マナーモード機能を解除するステップと
を含むことを特徴とするマナーモード制御方法。
【請求項９】
着信に対して着信音を鳴動させないマナーモード機能を備える通信装置のコンピュータに、
特定の電話番号からの着信が所定のマナーモード解除条件を満足するか否かを判別する判別機能、
前記判別機能により前記特定の電話番号からの着信が前記所定のマナーモード解除条件を満足したと判別された場合に、前記特定の電話番号の発信側にショートメッセージを送信するショートメッセージ送信機能、
前記ショートメッセージ送信機能から送信された前記ショートメッセージに対する、前記特定の電話番号の発信側からの返信ショートメッセージを受信した場合に、前記マナーモード機能を解除するマナーモード機能解除機能
を実行させることを特徴とするプログラム。
【発明の詳細な説明】
【技術分野】
【０００１】
本発明は、通信装置、マナーモード制御方法、及びプログラムに関する。
【背景技術】
【０００２】
携帯電話の着信音が周囲の迷惑となるケースがあるため、携帯電話には着信音の代わりにバイブレータで着信を伝える、マナーモード機能が存在する。また、着信音が迷惑となる状況でマナーモードに設定し忘れることを避けるため、常時マナーモードとするユーザも多い。しかし、このようなユーザには、着信時のバイブレータ振動に気づかず重要な案件の電話に出られないという状況が発生する。このような状況を避けるためには、重要な案件の場合には、マナーモード機能を解除できる仕組みが必要となる。
【０００３】
特許文献１には、マナーモード機能が設定された状態でＴＶ電話機能による通信を実行するときに、音声入出力を禁止する一方、ＳＭＳ（ショートメッセージサービス：Short Message Service）機能をＴＶ電話機能と並行して起動し、入力された文字データをＳＭＳ機能により送受信し、該端末の表示部に、ＴＶ電話機能により受信した相手端末からの画像、及びＳＭＳ機能により受信した相手端末からのメッセージを表示する技術が提案されている。
【０００４】
特許文献２には、携帯型の通信装置に係り、予め登録された発信元からの着信の回数が所定時間内に所定回数に達すると、当該携帯型通信端末装置の動作モードを切り替える際に、動作モードが切り替えられた旨を示す応答を予め登録された発信元に対して通知する技術が提案されている。
【０００５】
特許文献３には、携帯電話において、マナーモードにある場合、予め設定された所定時間内に、同じ電話番号から所定回数以上着信があった時にマナーモード機能を解除する技術が提案されている。
【０００６】
特許文献４には、、重要な要件を伝えたいユーザが、送信先携帯電話に対して、所定の時間内に、予め指定された文字列が含まれるメールを連続して送信することにより、受信する携帯電話のマナーモード機能を強制的に解除して非マナーモードにする技術が提案されている。
【０００７】
特許文献５には、電話装置がマナーモード中において、着信があると発呼側の電話番号を検出し、検出した電話番号が予めメモリに記憶されている電話番号であると判定すると、着信音を鳴動することにより着信報知を行い、一方、予めメモリに記憶されている電話番号でないと判定すると、バイブレータを振動する技術が提案されている。
【先行技術文献】
【特許文献】
【０００８】
【特許文献１】特開２００５−３０３３６５号公報
【特許文献２】特開２００７−２０８４２６号公報
【特許文献３】特開２００９−１６４９８６号公報
【特許文献４】特開２０１０−１０３８９９号公報
【特許文献５】特開２０１０−１８３４１５号公報
【発明の概要】
【発明が解決しようとする課題】
【０００９】
ところで、安易にマナーモード機能を解除する仕組みを導入すると、重要な案件でない場合や、重要な案件であっても着信音を鳴らしたくない場合においても、マナーモード機能が解除されてしまうという問題がある。つまり、マナーモード機能を解除可能な状況かどうかは着信側でないと分からず、マナーモード機能を解除させるほどの重要な案件であるかどうかは発信側でないと分からない。ゆえに、発着信双方の判断に従って、マナーモード機能を制御する必要がある。
【００１０】
しかしながら、上記特許文献１〜５の技術では、発信側、または着信側のいずれか一方の意思に従ってマナーモードを解除することはできても、着信側の状況、及び発信側の重要度判断に従って、マナーモード機能を制御することができないという問題がある。
【００１１】
そこで本発明は、着信側の状況、及び発信側の重要度判断に基づいてマナーモード機能を制御することができる通信装置、マナーモード制御方法、及びプログラムを提供することを目的とする。
【課題を解決するための手段】
【００１２】
本発明の通信装置は、着信に対して着信音を鳴動させないマナーモード機能を備える通信装置であって、特定の電話番号からの着信が所定のマナーモード解除条件を満足するか否かを判別する判別部と、前記判別部により前記特定の電話番号からの着信が前記所定のマナーモード解除条件を満足したと判別された場合に、前記特定の電話番号の発信側にショートメッセージを送信するショートメッセージ送信部と、前記ショートメッセージ送信部から送信された前記ショートメッセージに対する、前記特定の電話番号の発信側からの返信ショートメッセージを受信した場合に、前記マナーモード機能を解除するマナーモード機能解除部とを備えることを特徴とする通信装置である。
【００１３】
本発明のマナーモード制御方法は、着信に対して着信音を鳴動させないマナーモード機能を備える通信装置でのマナーモード制御方法であって、特定の電話番号からの着信がマナーモード解除条件を満足するか否かを判別するステップと、前記特定の電話番号からの着信が前記マナーモード解除条件を満足したと判別された場合に、前記特定の電話番号の発信側にショートメッセージを送信するステップと、前記送信されたショートメッセージに対する、前記特定の電話番号の発信側からの返信ショートメッセージを受信した場合に、前記マナーモード機能を解除するステップとを含むことを特徴とするマナーモード制御方法である。
【００１４】
本発明のプログラムは、着信に対して着信音を鳴動させないマナーモード機能を備える通信装置のコンピュータに、特定の電話番号からの着信が所定のマナーモード解除条件を満足するか否かを判別する判別機能、前記判別機能により前記特定の電話番号からの着信が前記所定のマナーモード解除条件を満足したと判別された場合に、前記特定の電話番号の発信側にショートメッセージを送信するショートメッセージ送信機能、前記ショートメッセージ送信機能から送信された前記ショートメッセージに対する、前記特定の電話番号の発信側からの返信ショートメッセージを受信した場合に、前記マナーモード機能を解除するマナーモード機能解除機能を実行させることを特徴とするプログラムである。
【発明の効果】
【００１５】
この発明によれば、着信側の状況、及び発信側の重要度判断に基づいてマナーモード機能を制御することができる。
【図面の簡単な説明】
【００１６】
【図１】本発明の実施形態による携帯電話の構成を示すブロック図である。
【図２】本実施形態による、解除設定データベース２１のデータの一例を示す概念図である。
【図３】本実施形態による、解除許可電話番号データベース２２のデータの一例を示す概念図である。
【図４】本実施形態による、解除中電話番号データベース２３のデータの一例を示す概念図である。
【図５】本実施形態による携帯電話の動作（登録処理）を説明するためのフローチャートである。
【図６】本実施形態による携帯電話の動作（着信動作）を説明するためのフローチャートである。
【図７】本実施形態による携帯電話の動作（着信動作）を説明するためのフローチャートである。
【図８】本実施形態による携帯電話の動作（着信動作）を説明するためのフローチャートである。
【図９】付記１の構成を示すブロック図である。
【発明を実施するための形態】
【００１７】
以下、本発明の実施の形態を、図面を参照して説明する。
【００１８】
図１は、本発明の実施形態による携帯電話の構成を示すブロック図である。図において、携帯電話は、設定操作や着信を行う入力装置１と、情報を記憶する記憶装置２と、プログラム制御により動作するデータ処理装置３と、ショートメッセージを発信する出力装置４と、着信音鳴動装置５とから構成されている。入力装置１は、キー入力部１１と、着信部１２とを備えている。キー入力部１１は、ユーザによる動作の指示操作や、データの入力操作、設定操作などを行う。着信部１２は、無線通信機能などを有し、音声やショートメッセージの着信を行う。
【００１９】
記憶装置２は、解除設定データベース２１と、解除許可電話番号データベース２２と、解除中電話番号データベース２３とを備えている。各データベースの詳細については後述する。処理装置３は、マナーモード解除設定部３１と、マナーモード解除部３２と、音声着信部３３と、ＳＭＳ受信部３４と、ＳＭＳ発信部３５とを備えている。
【００２０】
マナーモード解除設定部３１は、キー入力部１１からのユーザによる入力操作に従って、解除設定データベース２１に解除設定情報を設定する。解除設定情報とは、マナーモード機能を解除するためのマナーモード解除条件や解除期間などを設定した情報である。また、マナーモード解除設定部３１は、キー入力部１１からのユーザによる入力操作に従って、解除許可電話番号データベース２２にマナーモード機能の解除を許可する相手の電話番号を設定する。
【００２１】
マナーモード解除部３２は、音声着信部３３から不在着信情報を受信すると、解除設定データベース２１のマナーモード解除機能が「ＯＮ」である場合で、かつ解除許可電話番号データベース２２に、不在着信となった電話番号が許可対象として設定されている場合、解除許可電話番号データベース２２に不在着信履歴（着信日時、着信回数）を保存する。
【００２２】
また、マナーモード解除部３２は、上記不在着信履歴に基づいて、不在着信をカウントする期間内の該当電話番号の不在着信回数が、解除設定データベース２１に設定された不在着信回数に達している場合、当該電話番号の通信相手に対する、通し番号つきショートメッセージの送信をＳＭＳ発信部３５に指示する。ショートメッセージは、短いテキスト（文字）からなり、携帯電話の電話番号を宛先に指定して送受信することが可能になっている。該ショートメッセージには、緊急の要件であれば着信側のマナーモード機能を解除できる旨が記載されている。
【００２３】
また、マナーモード解除部３２は、ＳＭＳ受信部３４により上記通し番号つきショートメッセージに対する返信メッセージが受信された場合に、解除中電話番号データベース２３に該当する電話番号と解除期限を登録し、当該電話番号から再度着信があった場合、解除中電話番号データベース２３にアクセスし、解除期限前であれば、マナーモード機能を設定した状態でも着信音鳴動装置５を駆動して着信音を鳴らすよう制御する。
【００２４】
音声着信部３３は、着信部１２による音声着信が不在着信となった場合、マナーモード解除部３２に不在着信情報を伝達する。ＳＭＳ受信部３４は、着信部１２で着信したショートメッセージを受信し、マナーモード解除部３２に伝達する。ＳＭＳ発信部３５は、マナーモード解除部３２からの指示に従って、該当電話番号の相手に送信するための、上記通し番号つきショートメッセージを生成して出力装置４に出力する。出力装置４は、無線通信機能などを有し、ＳＭＳ発信部３５からの通し番号つきショートメッセージを発信する。着信音鳴動装置５は、マナーモード解除部３２からの指示に従って着信音を鳴動させる。
【００２５】
図２は、本実施形態による、解除設定データベース２１のデータの一例を示す概念図である。解除設定データベース２１には、ユーザが予め設定した解除設定情報が保存されている。解除設定情報には、マナーモード機能のＯＮ（解除）／ＯＦＦ（非解除）を設定する解除機能と、解除依頼を行うまでの不在着信回数と、不在着信回数をカウントする期間を示すカウント期間と、マナーモード機能を解除する期間を示すマナーモード解除期間とが含まれる。
【００２６】
図示の例では、解除機能が「ＯＮ」、解除依頼を行うまでの不在着信回数が「２回」、不在着信をカウントするカウント期間が「１時間」、マナーモード解除期間が「３０分」に設定されている。本実施形態では、解除機能を「ＯＮ」にした状態で携帯電話をマナーモードにしておくことで、所定の相手からの不在着信が、カウント期間「１時間」に不在着信回数「２回」に達すると、マナーモード解除期間「３０分」間、マナーモード機能を解除するようになっている。なお、本実施形態では、上記不在着信回数とカウント期間とをマナーモード解除条件と言うことにする。
【００２７】
図３は、本実施形態による、解除許可電話番号データベース２２のデータの一例を示す概念図である。解除許可電話番号データベース２２には、マナーモード機能の解除を許可する相手の電話番号と、当該電話番号の相手からの不在着信履歴とが保存されている。すなわち、マナーモード解除部３２は、解除許可電話番号データベース２２に登録されている電話番号からの不在着信が、上記マナーモード解除条件を満足すると、マナーモード解除期間、マナーモード機能を解除する。
【００２８】
図４は、本実施形態による、解除中電話番号データベース２３のデータの一例を示す概念図である。解除中電話番号データベース２３には、マナーモード機能を解除中の電話番号とその電話番号の解除期限（現在時刻＋マナーモード解除期間）が保存される。マナーモード解除部３２は、解除中電話番号データベース２３に設定されている、電話番号から着信があった場合、解除期限前であれば、着信音を鳴動させないマナーモードに設定された状態でも、着信音鳴動装置５を駆動して着信音を鳴らすよう制御する。
【００２９】
次に、上述した実施形態の動作について説明する。
図５は、本実施形態による携帯電話の動作（登録処理）を説明するためのフローチャートである。まず、マナーモード解除設定部３２は、キー入力部１１からのユーザの入力操作に従って、解除許可電話番号データベース２２に解除を許可する相手の電話番号を数件登録する（ステップＳ１０）。初期状態では、解除許可電話番号データベース２２における、相手からの不在着信履歴は空となっている。
【００３０】
次に、マナーモード解除設定部３２は、キー入力部１１からのユーザの入力操作に従って、解除設定データベース２１に解除機能、不在着信回数、カウント期間、及びマナーモード解除期間を設定する（ステップＳ１２）。例えば、図２に示すように、解除機能を「ＯＮ」、解除依頼を行うまでの不在着信回数を「２回」、不在着信をカウントする期間を「１時間」、マナーモード解除期間に「３０分」と設定する。そして、当該処理を終了する。
【００３１】
図６乃至図８は、本実施形態による携帯電話の動作（着信動作）を説明するためのフローチャートである。まず、待受け画面を表示して着信やキー入力操作などを待つ待受け状態で（ステップＳ２０）、マナーモード解除部３２は、音声着信部３３で音声着信があったか否かを判定し（ステップＳ２２）、音声着信があった場合には（ステップＳ２２のＹＥＳ）、着信音を鳴動させないマナーモードに設定されているか否かを判定する（ステップＳ２４）。
【００３２】
そして、マナーモードに設定されていない場合には、マナーモード解除部３２は、着信音鳴動装置５を駆動して着信音を鳴動し（ステップＳ２６）、ユーザによりオフフックされたか否かを判定し（ステップＳ２８）、ユーザによりオフフックされない場合には（ステップＳ２８のＮＯ）、ステップＳ２６に戻り、ユーザによりオフフックされるまで着信音の鳴動を繰り返す。なお、図示には記していないが、実際には、予め設定された回数、着信音を鳴動してもオフフックされない場合には不在着信とする。
【００３３】
そして、ユーザによりオフフックされると（ステップＳ２８のＹＥＳ）、通常の音声による通話処理を実行し（ステップＳ３０）、通話中、オンフックされたか否かを判定し（ステップＳ３２）、オンフックされない場合には（ステップＳ３２のＮＯ）、ステップＳ３０に戻り、通話処理を継続する。一方、通信相手、もしくは当該携帯電話のユーザによりオンフックされると（ステップＳ３２のＹＥＳ）、回線を切断してステップＳ２０の待ち受け画面の表示に戻る。
【００３４】
一方、マナーモードに設定されている場合には（ステップＳ２４のＹＥＳ）、マナーモード解除部３２は、解除中電話番号データベース２３にアクセスし（図７のステップＳ３４）、不在着信の電話番号が登録されているか否かを判定する（ステップＳ３６）。本実施形態では、一例として、不在着信が、カウント期間「１時間」に不在着信回数「２回」に達すると、マナーモード機能を解除すべく、解除中電話番号データベース２３に、不在着信の電話番号を登録するようになっている。ゆえに、当該電話番号の相手からの初めての着信時（１回目）には、解除中電話番号データベース２３に電話番号は登録されていない。したがって、ステップＳ３６の判定結果はＮＯとなる。
【００３５】
そして、解除中電話番号データベース２３に不在着信の電話番号が登録されていない場合には（ステップＳ３６のＮＯ）、マナーモード解除部３２は、解除設定データベース２１にアクセスし（ステップＳ４２）、マナーモード解除機能が「ＯＮ」であるか否かを判別する（ステップＳ４４）。そして、マナーモード解除機能が「ＯＮ」でない場合には（ステップＳ４４のＮＯ）、マナーモード解除機能が無効であるので、バイブレータ（図示略）による振動を作動させる（ステップＳ４６）。
【００３６】
次に、ユーザによりオフフックされたか否かを判定し（ステップＳ４８）、ユーザによりオフフックされない場合には（ステップＳ４８のＮＯ）、ステップＳ４６に戻り、ユーザによりオフフックされるまで着信音の鳴動を繰り返す。なお、図示には記していないが、実際には、予め設定された回数、バイブレータ（図示略）を駆動してもオフフックされない場合には不在着信とする。
【００３７】
そして、ユーザによりオフフックされると（ステップＳ４８のＹＥＳ）、上述した図６に示すステップＳ３０へ進み、通常の音声による通話処理を実行し、通話中、オンフックされたか否かを判定し（ステップＳ３２）、オンフックされない場合には（ステップＳ３２のＮＯ）、ステップＳ３０に戻り、通話処理を継続する。一方、通信相手、もしくは当該携帯電話のユーザによりオンフックされると（ステップＳ３２のＹＥＳ）、回線を切断してステップＳ２０の待ち受け状態に戻る。
【００３８】
一方、解除設定データベース２１のマナーモード解除機能が「ＯＮ」である場合には（ステップＳ４４のＹＥＳ）、マナーモード解除機能が有効であるので、マナーモード解除部３２は、解除許可電話番号データベース２２にアクセスし（ステップＳ５０）、不在着信となった電話番号が許可対象の電話番号として登録されているか否かを判別する（ステップＳ５２）。そして、解除許可電話番号データベース２２に不在着信となった電話番号が登録されていない場合には（ステップＳ５２のＮＯ）、当該電話番号がマナーモード解除対象でないので、ステップＳ４６以降に進み、バイブレータ（図示略）による振動、ステップＳ３０の通話処理へと進む。
【００３９】
一方、解除許可電話番号データベース２２に不在着信となった電話番号が登録されている場合には（ステップＳ５２のＹＥＳ）、当該電話番号がマナーモード解除対象であるので、マナーモード解除部３２は、解除許可電話番号データベース２２に不在着信履歴を保存する（ステップＳ５４）。次に、マナーモード解除部３２は、解除設定データベース２１にアクセスし（ステップＳ５６）、不在着信をカウントするカウント期間内の該当電話番号の不在着信回数が、解除設定データベース２１に設定された不在着信回数に達しているかどうかを判定する（ステップＳ５８：本実施形態では１時間の間に２回）。
【００４０】
そして、不在着信回数が設定値に達している場合、マナーモード解除部３２は、ＳＭＳ発信部３５を用いて、発信者の電話番号に通し番号を付けたショートメッセージを送信する（ステップＳ６０）。通し番号を付けることで、個々のショートメッセージを区別することが可能である。該ショートメッセージには、緊急の要件であれば着信側のマナーモード機能を解除できる旨を記載し、解除したい場合には、このショートメッセージに返信するよう依頼しておく。その後、図６のステップＳ２０の待ち受け状態に戻る。
【００４１】
発信者側は、上記ショートメッセージを受け取った後、着信側のマナーモード機能を解除するかどうかを判断し、必要であれば、ショートメッセージの返信を行う。
【００４２】
携帯電話では、ステップＳ２０における待受け状態において、マナーモード解除部３２は、音声着信がなかった場合には（ステップＳ２２のＮＯ）、ショートメッセージの受信があったか否かを判別し（ステップＳ６２）、ショートメッセージの受信でない場合には（ステップＳ６２のＮＯ）、図６のステップＳ２０の待ち受け状態に戻る。
【００４３】
一方、ショートメッセージを受信した場合には（ステップＳ６２のＹＥＳ）、マナーモード解除部３２は、受信したショートメッセージが通し番号付きショートメッセージへの返信であるか否かを判別する（ステップＳ６４）。
【００４４】
そして、通し番号付きショートメッセージへの返信である場合には（ステップＳ６４のＹＥＳ）、マナーモード解除部３２は、解除中電話番号データベース２３に該当する電話番号と解除期限とを登録する（ステップＳ６６）。但し、解除期限は、現在時刻に解除設定データベース２１のマナーモード解除期間（本実施形態では３０分）を加えた時刻とする。その後、図６のステップＳ２０の待ち受け状態に戻る。
【００４５】
一方、通し番号付きショートメッセージへの返信でない場合には（ステップＳ６４のＮＯ）、通常のメール受信処理（メールの閲覧、保存など）を実行する（ステップＳ６８）。その後、図６のステップＳ２０の待ち受け状態に戻る。
【００４６】
以降、ステップＳ２０の待ち受け状態において、発信者からの着信があると（ステップＳ２２のＹＥＳ）、マナーモードに設定されている場合（ステップＳ２４のＹＥＳ）、マナーモード解除部３２は、解除中電話番号データベース２３にアクセスする（図７のステップＳ３４）。この場合、解除中電話番号データベース２３には、不在着信の電話番号が登録されているので（ステップＳ３６のＹＥＳ）、マナーモード解除部３２は、解除期限前であるか否かを判別する（ステップＳ３８）。そして、解除期限を過ぎている場合には、解除中電話番号データベース２３に登録されている該当電話番号、及びその解除期限をクリアし（ステップＳ４０）、前述したステップＳ４２以降へ進む。
【００４７】
一方、解除期限前である場合には（ステップＳ３８のＹＥＳ）、マナーモード解除部３２は、図６のステップＳ２６に進み、着信音鳴動装置５を駆動して着信音を鳴動し、ステップＳ１８以降の通話処理へ進む。
【００４８】
上述した実施形態によれば、ユーザが自分でマナーモードを解除しなくとも、重要な案件であれば着信音を鳴らして着信に気づきやすくできる。
また、上述した実施形態によれば、着信者側が、マナーモード解除機能を有効にするかどうか、及びマナーモード解除を許可する相手を決定することができる。
また、上述した実施形態によれば、発信理由を知らない着信者側ではなく、重要案件であるかどうかが分かる発信者側が、マナーモード機能を解除するかどうかを決定することができる。
【００４９】
なお、本発明の実施形態では、携帯電話に適用した例であるが、本発明はこれに限定されるものではない。音声通話機能やＳＭＳ機能、及びマナーモード機能を搭載した無線通信可能な携帯型または据置型の端末機器、例えば、携帯情報端末、パーソナルコンピュータ、通信機、その他の電子機器等にも幅広く適用できる。
【００５０】
以下、本発明の特徴を付記する。
上記の実施形態の一部又は全部は、以下の付記のようにも記載されうるが、以下には限られない。
（付記１）
図９は、付記１の構成図である。なお、図９と図１との対応について説明する。図９に示す判別部４０は、図１のマナーモード解除部３２に相当し、図９に示すショートメッセージ送信部４１は、図１のマナーモード解除部３２、ＳＭＳ発信部３５、出力装置４に相当する。また、図９に示すマナーモード機能解除部４２は、図１のマナーモード解除部３２に相当する。
【００５１】
図９に示すように、付記１記載の発明は、
着信に対して着信音を鳴動させないマナーモード機能４３を備える通信装置であって、
特定の電話番号からの着信が所定のマナーモード解除条件を満足するか否かを判別する判別部４０と、
前記判別部４０により前記特定の電話番号からの着信が前記所定のマナーモード解除条件を満足したと判別された場合に、前記特定の電話番号の発信側にショートメッセージを送信するショートメッセージ送信部４１と、
前記ショートメッセージ送信部４１から送信された前記ショートメッセージに対する、前記特定の電話番号の発信側からの返信ショートメッセージを受信した場合に、前記マナーモード機能４３を解除するマナーモード機能解除部４２と
を備えることを特徴とする通信装置である。
【００５２】
（付記２）
前記マナーモード機能解除部は、前記マナーモード機能を、所定のマナーモード解除期間に渡って解除する、ことを特徴とする付記１に記載の通信装置である。
【００５３】
（付記３）
前記判別部は、前記特定の電話番号から、所定の期間内に所定回数の着信があったことを前記所定のマナーモード解除条件とする、ことを特徴とする付記１または２に記載の通信装置である。
【００５４】
（付記４）
前記所定の期間と前記所定回数とを設定する設定部を更に備えることを特徴とする付記３に記載の通信装置である。
【００５５】
（付記５）
前記設定部は、前記所定のマナーモード解除期間を更に設定する、ことを特徴とする付記４に記載の通信装置である。
【００５６】
（付記６）
前記設定部は、
前記特定の電話番号を更に設定することを特徴とする付記４または５に記載の通信装置である。
【００５７】
（付記７）
前記マナーモード機能解除部は、前記マナーモード機能を解除して着信音を鳴動させることを特徴とする付記１から６のいずれか一項に記載の通信装置である。
【００５８】
（付記８）
着信に対して着信音を鳴動させないマナーモード機能を備える通信装置でのマナーモード制御方法であって、特定の電話番号からの着信がマナーモード解除条件を満足するか否かを判別するステップと、前記特定の電話番号からの着信が前記マナーモード解除条件を満足したと判別された場合に、前記特定の電話番号の発信側にショートメッセージを送信するステップと、前記送信されたショートメッセージに対する、前記特定の電話番号の発信側からの返信ショートメッセージを受信した場合に、前記マナーモード機能を解除するステップとを含むことを特徴とするマナーモード制御方法である。
【００５９】
（付記９）
着信に対して着信音を鳴動させないマナーモード機能を備える通信装置のコンピュータに、特定の電話番号からの着信が所定のマナーモード解除条件を満足するか否かを判別する判別機能、前記判別機能により前記特定の電話番号からの着信が前記所定のマナーモード解除条件を満足したと判別された場合に、前記特定の電話番号の発信側にショートメッセージを送信するショートメッセージ送信機能、前記ショートメッセージ送信機能から送信された前記ショートメッセージに対する、前記特定の電話番号の発信側からの返信ショートメッセージを受信した場合に、前記マナーモード機能を解除するマナーモード機能解除機能を実行させることを特徴とするプログラム。
【００６０】
（付記１０）
前記ショートメッセージ送信部は、緊急の要件であれば着信側のマナーモードを解除できる旨が記載されているショートメッセージを、前記特定の電話番号の発信側に送信する  ことを特徴とする付記１から６のいずれか一項に記載の通信装置である。
【００６１】
（付記１１）
前記ショートメッセージ送信部は、メッセージを識別するための通し番号を付与したショートメッセージを、前記特定の電話番号の発信側に送信することを特徴とする付記１から６、１０のいずれか一項に記載の通信装置である。
【符号の説明】
【００６２】
１  入力装置
１１  キー入力部
１２  着信部
２  記憶装置
２１  解除設定データベース
２２  解除許可電話番号データベース
２３  解除中電話番号データベース
３  処理装置
３１  マナーモード解除設定部
３２  マナーモード解除部
３３  音声着信部
３４  ＳＭＳ受信部
３５  ＳＭＳ発信部
４  出力装置
５  着信音鳴動装置
４０  判別部
４１  ショートメッセージ送信部
４２  マナーモード解除部
４３  マナーモード機能
【図１】
2013162509.tif 000003
【図２】
2013162509.tif 000004
【図３】
2013162509.tif 000005
【図４】
2013162509.tif 000006
【図５】
2013162509.tif 000007
【図６】
2013162509.tif 000008
【図７】
2013162509.tif 000009
【図８】
2013162509.tif 000010
【図９】
2013162509.tif 000011